(57)【要約】【課題】  通話相手および所有者の情報を電話帳メモリに事前に登録する際に国番号を登録する操作を必要とせずに、国際通話か国内通話かを識別することなく、携帯通信端末からの所望の相手に電話発呼することのできる携帯通信端末を提案する。【解決手段】  外部メモリ１３から所有者情報が読込まれて、および第１国番号検索部１０７において所有者の国番号が取得される。また、ネットワーク検索部１２５および第２国番号検索部１２７において現在のネットワークの属する国情報が取得される。これらの国情報に基づいて、通話コード判断部１２３において、国際通話か国内通話かが判断され、必要に応じて、通話番号変換部１４１において、通話相手の番号が国際通話用の番号に変換される。【選択図】        図３
2006311103.tif 000002
【特許請求の範囲】
【請求項１】
電話番号と、契約国に関する情報とを含むユーザ情報を取得するユーザ情報取得手段と、
前記ユーザ情報に含まれる前記契約国に関する情報に基づいて、国番号を検出する国番号検出手段と、
前記電話番号と共に前記国番号をメモリに登録する登録手段とを備える、携帯通信端末。
【請求項２】
当該携帯通信端末の契約国に関する情報を取得する第１国情報取得手段と、
現在接続しているネットワークの属する国に関する情報を取得する第２国情報取得手段と、
通話相手の電話番号を取得する相手番号取得手段と、
前記契約国と前記ネットワークの属する国とが異なる場合、前記通話相手の電話番号を国際通話用の電話番号に変換する変換手段とを備える、携帯通信端末。
【請求項３】
前記通話相手の電話番号が国内通話用の電話番号か国際通話用の電話番号かを判断する通話コード判断手段をさらに備え、
前記第１国情報取得手段、前記第２国情報取得手段、および前記変換手段は、前記通話コード判断手段において前記通話相手の電話番号が国内通話用の電話番号であることが判断された場合に上記処理を実行する、請求項２に記載の携帯通信端末。
【請求項４】
携帯通信端末において、通話相手の電話番号の設定を補助する処理をコンピュータに実行させるプログラムであって、
前記携帯通信端末の契約国に関する情報を取得する第１国情報取得ステップと、
前記携帯通信端末が現在接続しているネットワークの属する国に関する情報を取得する第２国情報取得ステップと、
通話相手の電話番号を取得する相手番号取得ステップと、
前記契約国と前記ネットワークの属する国とが異なる場合、前記通話相手の電話番号を国際通話用の電話番号に変換する変換ステップとを実行させる、宛先設定補助プログラム。
【請求項５】
前記通話相手の電話番号が国内通話用の電話番号か国際通話用の電話番号かを判断する通話コード判断ステップをさらに実行させ、
前記第１国情報取得ステップ、前記第２国情報取得ステップ、および前記変換ステップにおいては、前記通話コード判断ステップにおいて前記通話相手の電話番号が国内通話用の電話番号であることが判断された場合に上記処理を実行する、請求項４に記載の宛先設定補助プログラム。
【請求項６】
請求項４または５に記載の宛先設定補助プログラムを記録する、コンピュータ読取可能な記録媒体。
【発明の詳細な説明】
【技術分野】
【０００１】
この発明は携帯通信端末および宛先設定補助プログラムに関し、特に、国内通信と国際通信とをスムーズに行なうことのできる携帯通信端末および宛先設定補助プログラムに関する。
【背景技術】
【０００２】
携帯通信端末である携帯電話機で国内の通信網から海外に通信網へ乗入れ（国際ローミング）することで、国境のない自由なミュニケーションが実現されている。
【０００３】
そのような国内通信と国際通信との両方が可能な携帯電話機では、国際通信を行なう際には、通話相手の番号に国番号を付加する必要がある。たとえば、以下の特許文献１では、携帯通信端末からの電話発呼時にその通話が国際通信か国内通信かを識別するために、通話相手および所有者の情報を電話帳メモリに事前に登録する際に国番号も登録しておくことがなされている。
【特許文献１】特開平１１−３４１１４１号公報
【発明の開示】
【発明が解決しようとする課題】
【０００４】
しかしながら、上述のように、従来技術では、携帯通信端末からの電話発呼時にその通話が国際通信か国内通信かを識別するために、通話相手および所有者の情報を電話帳メモリおよび所有者情報メモリに事前に登録する際に国番号も登録しておく必要があり、操作が煩雑となるという問題があった。
【０００５】
本発明はこのような問題に鑑みてなされたものであって、国内通信と国際通信との両方が可能な携帯通信端末であって、国番号を登録することなく、携帯通信端末からの電話発呼時にその通話が国際通信か国内通信かを識別することで、煩雑な操作を必要とせずに、多国間を移動する場合であってもスムーズに使用できる携帯通信端末および宛先設定補助プログラムを提供することを目的とする。
【課題を解決するための手段】
【０００６】
上記目的を達成するために、本発明のある局面に従うと、携帯通信端末は、電話番号と、契約国に関する情報とを含むユーザ情報を取得するユーザ情報取得手段と、ユーザ情報に含まれる契約国に関する情報に基づいて、国番号を検出する国番号検出手段と、電話番号と共に国番号をメモリに登録する登録手段とを備える。
【０００７】
本発明の他の局面に従うと、携帯通信端末は、当該携帯通信端末の契約国に関する情報を取得する第１国情報取得手段と、現在接続しているネットワークの属する国に関する情報を取得する第２国情報取得手段と、通話相手の電話番号を取得する相手番号取得手段と、契約国とネットワークの属する国とが異なる場合、通話相手の電話番号を国際通話用の電話番号に変換する変換手段とを備える。
【０００８】
また、携帯通信端末は、通話相手の電話番号が国内通話用の電話番号か国際通話用の電話番号かを判断する通話コード判断手段をさらに備え、上記第１国情報取得手段、上記第２国情報取得手段、および上記変換手段は、通話コード判断手段において通話相手の電話番号が国内通話用の電話番号であることが判断された場合に上記処理を実行することが好ましい。
【０００９】
本発明のさらに他の局面に従うと、宛先設定補助プログラムは、携帯通信端末において、通話相手の電話番号の設定を補助する処理をコンピュータに実行させるプログラムであって、携帯通信端末の契約国に関する情報を取得する第１国情報取得ステップと、上記携帯通信端末が現在接続しているネットワークの属する国に関する情報を取得する第２国情報取得ステップと、通話相手の電話番号を取得する相手番号取得ステップと、契約国とネットワークの属する国とが異なる場合、通話相手の電話番号を国際通話用の電話番号に変換する変換ステップとを実行させる。
【００１０】
また、宛先設定補助プログラムは、通話相手の電話番号が国内通話用の電話番号か国際通話用の電話番号かを判断する通話コード判断ステップをさらに実行させ、上記第１国情報取得ステップ、上記第２国情報取得ステップ、および上記変換ステップにおいては、通話コード判断ステップにおいて通話相手の電話番号が国内通話用の電話番号であることが判断された場合に上記処理を実行することが好ましい。
【００１１】
本発明のさらに他の局面に従うと、記録媒体はコンピュータ読取可能な記録媒体であって、上記宛先設定補助プログラムを記録する。
【発明を実施するための最良の形態】
【００１２】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１３】
図１は、本発明にかかる携帯通信端末を実施する一例である携帯通信端末１００のハードウェア構成の具体例を示す図である。
【００１４】
図１を参照して、携帯通信端末１００は、送受信用のアンテナ１と、通信部２と、通信制御部４と、送話用のマイクロホン５と、受話用のスピーカ６と、ＣＰＵ（Central Processing Unit）などから構成される制御部７と、ユーザとのインタフェースであって、ユーザが発信先電話番号や各種入力を行なう操作部８および発信先電話番号や各種入力の表示を行なう表示部９と、記憶装置であるＲＯＭ（Read Only Memory）１０およびＲＡＭ（Random Access Memory）１１と、接続部１２とを含んで構成される。
【００１５】
上記構成は、一般的な携帯電話の構成であるが、本発明にかかる携帯通信端末は携帯電話に限定されず、ノート型・ウェアラブルのパーソナルコンピュータやＰＤＡ（Personal Digital Assistants）等でも実現され得る。
【００１６】
通信部２は、所有者の属する国内、および所有者の属する国以外の国内において、所定の通信方式で基地局との間で通信信号の送受信を行なう。通信部２は、アンテナ１を介して受信した通信信号を、通信制御部４および制御部７に対して出力する。通信部２における現在の接続は、ネットワークを識別するネットワーク識別コードで特定され、通信の際に、ＲＡＭ１１の所定領域である後述のネットワーク識別コードメモリ１１５に格納される。
【００１７】
通信制御部４は、通信部２から入力された通信信号に所定の処理を施して音声信号に復調し、スピーカ６に対して出力する。また、通信制御部４は、マイクロホン５から入力された音声信号に所定の処理を施して通信信号に変調し、通信部２に対して出力する。
【００１８】
制御部７は、ＲＯＭ１０に記憶されているプログラムを読出して実行することで、携帯通信端末１００の各部を制御する。ＲＡＭ１１は、制御部７でプログラムを実行する際の作業領域となる。
【００１９】
接続部１２は外部メモリ１３と制御部７とを電気的に接続するためのコネクタであって、御部７は、プログラムを実行する際に必要に応じて、接続部１２を介して、ＳＩＭ（Subscriber Identity Module）やＵ（User）−ＳＩＭなどである、当該携帯通信端末１００に内蔵されていない外部メモリ１３に記憶される所定の情報を読出す。
【００２０】
ＲＯＭ１０には、携帯通信端末１００を動作させるためのプログラムなどが記憶される。
【００２１】
外部メモリ１３には、携帯通信端末１００の所有者等のユーザに関する情報である所有者情報（ユーザ情報）が格納される。所有者情報には、所有者等のユーザの電話番号、契約している登録国コード、契約しているオペレータコードなどが含まれる。
【００２２】
図２は、ＲＡＭ１１に格納されている情報の具体例を示す図である。
図２を参照して、ＲＡＭ１１には、国番号データベース１１１と、所有者情報メモリ１１２と、電話帳メモリ１１３と、ネットワークデータベース１１４と、ネットワーク識別コードメモリ１１５とが含まれる。
【００２３】
国番号データベース１１１は、国コードと国際発呼時に必要となる国際通話プリフィックス（以降、国番号と呼ぶ）との対応を管理しているデータベースであり、国コードと国番号とを双方向に検索することを可能とする。
【００２４】
所有者情報メモリ１１２は、外部メモリ１３から取得される、携帯通信端末１００の所有者の名前、電話番号、国番号などの所有者に関する情報である所有者情報を格納するメモリである。
【００２５】
電話帳メモリ１１３は、携帯通信端末１００の所有者が通話する相手の名前や電話番号などの情報を格納するメモリである。なお、図２においては、所有者情報メモリ１１２と電話帳メモリ１１３とが別領域のメモリとして示されているが、内部構造に大きな違いがないことが多いため、所有者情報メモリ１１２は電話帳メモリ１１３に含まれていても構わない。
【００２６】
ネットワークデータベース１１４は、通信部２が接続されるネットワークを識別するコードであるネットワーク識別コードと、国番号との対応を管理しているデータベースであり、ネットワーク識別コードと国番号とを双方向に検索することを可能とする。
【００２７】
ネットワーク識別コードメモリ１１５は、上述のように、通信部２における現在の接続を特定する情報であるネットワーク識別コードとオペレータコードとを格納するメモリである。通常、ネットワーク識別コードには、携帯通信端末が現在接続しているネットワークの属する国を特定する情報である接続国コード、および接続オペレータコードが含まれ、ネットワーク識別コードメモリ１１５には、現在接続されているネットワークに関する接続国コードおよび接続オペレータコードが格納される。
【００２８】
なお、上記データベース１１１，１１４は必ずしも携帯通信端末１００に含まれている必要はなく、ネットワーク上の他の記憶装置に格納されていてもよい。その場合、携帯通信端末１００には、必要に応じて上記ネットワークを介して必要なデータを取得する取得部が設けられる。
【００２９】
図３は、本実施の形態にかかる携帯通信端末１００において、所有者情報を登録する機能および発呼時に通話相手の番号を設定する機能を実現するための機能構成の具体例を示す図である。図３に示される各機能は、制御部７がＲＯＭ１０に記憶されているプログラムを読出して実行することで、ＣＰＵ等に形成される機能である。
【００３０】
図３を参照して、本実施の形態にかかる携帯通信端末１００は、操作入力部１０１、所有者情報取得部１０３、情報解析部１０５、第１国番号検索部１０７、所有者情報登録部１０９、相手番号読出部１２１、通話コード判断部１２３、ネットワーク検索部１２５、第２国番号検索部１２７、通話番号出力部１２９、および通話番号変換部１４１を含んで構成される。
【００３１】
操作入力部１０１は、操作部８で受付けた、所有者情報の登録を指示する操作入力に基づいた操作信号を所有者情報取得部１０３に入力する。また、操作部８で受付けた、通話相手の番号（以下、相手番号と称する）の設定を指示する操作入力に基づいた操作信号を相手番号読出部１２１に入力する。
【００３２】
通話コード判断部１２３は、相手番号読出部１２１から入力された相手番号に基づいて、必要に応じて所有者情報取得部１０３に所有者情報の取得を要求し、ネットワーク検索部１２５に検索を要求する。
【００３３】
所有者情報取得部１０３は、操作入力部１０１から入力された操作信号や、または通話コード判断部１２３から入力される要求にしたがって外部メモリ１３にアクセスし、外部メモリ１３から所有者情報を取得する。所有者情報取得部で取得された所有者情報は、情報解析部１０５に入力される。
【００３４】
情報解析部１０５は、所有者情報取得部１０３から入力された所有者情報より登録国コードを読出し、第１国番号検索部１０７に対して国番号の検索を要求する。また、所有者の電話番号などの情報を読出し、所有者情報登録部１０９に入力する。
【００３５】
第１国番号検索部１０７は、上記要求に応じて国番号データベース１１１にアクセスして検索し、所有者が契約している登録国の国番号（たとえば、登録国が日本の場合には８１）を検出する。検出された国番号は所有者情報登録部１０９または通話コード判断部１２３に入力される。
【００３６】
所有者情報登録部１０９は、情報解析部１０５から入力された所有者の電話番号などの情報、および第１国番号検索部１０７から入力された国番号を、所有者情報メモリ１１２に登録する。
【００３７】
相手番号読出部１２１は、操作入力部１０１から入力された操作信号にしたがって、電話帳メモリ１１３にアクセスして、相手番号を読出し、通話コード判断部１２３に入力する。
【００３８】
ネットワーク検索部１２５は、通話コード判断部１２３からの上記要求に応じてネットワーク識別コードメモリ１１５にアクセスして、現在接続されているネットワーク識別コードを検出し、第２国番号検索部１２５に対して国番号の検索を要求する。
【００３９】
第２国番号検索部１２７は、上記要求に応じてネットワークデータベース１１４にアクセスして検索し、上記ネットワーク識別コードに基づいて当該携帯通信端末１００が現在接続されている国番号を検出する。検出された国番号は通話コード判断部１２３に入力される。
【００４０】
通話コード判断部１２３は、相手番号読出部１２１から入力された相手番号、または第１国番号検索部１０７および第２国番号検索部１２７から入力された２つの国番号に基づいて、指示される通信が国内通信か国際通信か通話コードを判断し、判断結果に応じて相手番号読出部１２１から入力された相手番号を通話番号出力部１２９または通話番号変換部１４１に入力する。通話番号変換部１４１は、通話コード判断部１２３から入力された相手番号を、上記判断結果に応じて適切な番号に変換し、通話番号出力部１２９に入力する。
【００４１】
図４は、本実施の形態にかかる携帯通信端末１００において、所有者情報を登録する処理を示すフローチャートである。図４のフローチャートに示される処理は、制御部７がＲＯＭ１０に記憶されているプログラムを読出して実行して図３に示される各機能を制御することで実現される。
【００４２】
図４を参照して、始めに、携帯通信端末１００の電源起動時や、ユーザからのキー入力などによるユーザ操作により、所有者情報取得部１０３において、所有者情報の格納されているＳＩＭやＵ−ＳＩＭなどの外部メモリ１３から所有者情報が取得され（ステップ２−１）、情報解析部１０３において、ステップ２−１で取得された所有者情報のうち、所有者が契約している登録国コード（たとえば、ここでは４４０とする）が読出される（ステップ２−２）。
【００４３】
続いて、ステップ２−２で読出された登録国の国コードに基づいて、第１国番号検索部１０７において国番号データベース１１１が検索され（ステップ２−３）、登録国の国番号（たとえば、ここでは８１とする）が検出される（ステップ２−４）。
【００４４】
また、情報解析部１０３において、ステップ２−１で取得された所有者情報のうち、所有者の電話番号などの情報も読出され（ステップ２−５）、所有者情報登録部１０９において、ステップ２−４で検出された国番号と共に所有者情報メモリ１１２に登録される（ステップ２−６）。
【００４５】
図４のフローチャートに示される処理は、当該携帯通信端末１００の所有者に関する情報である所有者情報を登録するための処理であるが、外部メモリ１３が所有者が通話を行なう相手に関するユーザ情報を格納するメモリである場合、上述の処理と同様の処理を行なって、通話相手の電話番号を含むユーザ情報を登録することができる。この場合、上記ステップ２−６では、ユーザ情報が電話帳メモリ１１３に登録される。
【００４６】
本実施の形態にかかる携帯通信端末１００において上記処理が実行されることで、ユーザ情報を登録する際に、国番号を登録する操作が必要とされず、ユーザの利便性が向上する。
【００４７】
図５は、本実施の形態にかかる携帯通信端末１００において、発呼時にユーザが通話相手の番号を設定する際にその設定を補助するための処理を示すフローチャートである。図５のフローチャートに示される処理もまた、制御部７がＲＯＭ１０に記憶されているプログラムを読出して実行して図３に示される各機能を制御することで実現される。
【００４８】
図５を参照して、始めに、電話帳メモリ１１３から発呼しようとする相手先をユーザが選択するなどの操作を受付けることで、相手番号読出部１２１において通話相手の電話番号が読出される（ステップ３−０）。ステップ３−０において読出された電話番号が、たとえば＋８１２３４５６７８９０などの国際通話用の電話番号、つまり国際通話アクセスコード”＋”で始まる電話番号であった場合は（ステップ３−１でＹＥＳ）、たとえ国内通話であっても国際通話用の電話番号で発呼することが可能であるため、通話コード判断部１２３においてそのままの国際通話用の電話番号で発呼可能であると判断されて、通話番号出力部１２９より当該番号が通話相手の番号に設定される番号として出力される（ステップ３−２）。また、電話帳メモリ１１３に通話相手の電話番号と共に通話相手の国番号（たとえば、ここでは８１とする）が登録されていれば、この国番号に国際通話アクセスコード”＋”と通話相手の電話番号（たとえば、ここでは０２３４５６７８９０）とを組合わせることで、国際通話用の電話番号（ここでは＋８１２３４５６７８９０）を生成することができるため、生成した国際通話用の電話番号で発呼することができる。
【００４９】
一方、電話帳メモリ１１３に通話相手の国番号が登録されておらず、かつ、通話相手の電話番号が国内通話用の電話番号（ここでは０２３４５６７８９０）であった場合には（ステップ３−１でＮＯ）、そのままの国内通話用の電話番号で発呼すると国内通話になってしまうため、国際ローミング時には発呼できなくなってしまう。そこで、通話コード判断部１２３において、国際通話か国内通話かを識別する処理が実行される。
【００５０】
すなわち、上記ステップ２−１と同様にして、携帯通信端末の所有者に関して登録国を取得するために、所有者情報取得部１０３において所有者情報の格納されている外部メモリ１３から所有者情報が取得され（ステップ３−３）、情報解析部１０３において、ステップ２−１で取得された所有者情報のうち、所有者が契約している登録国コード（たとえば、ここでは４４０とする）が読出される（ステップ３−４）。さらに、ステップ３−４で読出された登録国の国コードに基づいて、第１国番号検索部１０７において国番号データベース１１１が検索され（ステップ３−５）、登録国の国番号（たとえば、ここでは８１とする）が検出される（ステップ３−６）。
【００５１】
次に、ネットワーク検出部１２５において、ネットワーク識別コードメモリ１１５から現在接続されているネットワーク識別コード（たとえば、ここでは３１０１０とする）が検出される（ステップ３−７）。上述のようにネットワーク識別コードには、携帯通信端末が現在接続しているネットワークの属する国を特定する情報である接続国コード、および接続オペレータコードが含まれ、上記具体例では、接続国コードが３１０、接続オペレータコードが１０とである。
【００５２】
第２国番号検索部１２７においては、ステップ３−６で検出されたネットワーク識別コードに基づいてネットワークデータベース１１４が検索され（ステップ３−８）、当該携帯通信端末１００が現在接続されている国番号（ここでは０１とする）が検出される（ステップ３−９）。
【００５３】
通話コード判断部１２３において、ステップ３−６で検出された当該携帯通信端末１００の所有者の登録国の国番号（ここでは８２となる）と、ステップ３−９で検出された現在接続されている国番号（ここでは０１となる）とが比較される（ステップ３−１０）。これらが同じ場合には（ステップ３−１０でＹＥＳ）、携帯通信端末１００の登録国と現在接続しているネットワークの属する国とが同じとなるため、携帯通信端末１００において国内通信を行なうものと判断され、通話番号出力部１２９より、国内通話として、ステップＳ３−０で読出された相手番号がそのまま通話相手の番号に設定される番号として出力される（ステップ３−１１）。
【００５４】
一方、具体例のように、これらが異なる場合には（ステップ３−１０でＮＯ）、携帯通信端末１００の所有者の登録国と現在接続しているネットワークの属する国とが異なることになるため、携帯通信端末１００において国際ローミング通信を行なうものと判断される。その場合、通話番号変換部１４１において、国際通話として、ステップ３−６で検出された登録国の国番号（ここでは８１となる）と国際通話アクセスコード”＋”とがステップＳ３−０で読出された相手番号（ここでは０２３４５６７８９０とする）に付加されて国際通信用の電話番号（ここでは＋８１２３４５６７８９０）に変換され、その番号が通話相手の番号に設定される番号として出力される（ステップ３−１２）。
【００５５】
本実施の形態にかかる携帯通信端末１００において上記処理が実行されることで、発呼時にその通話が国際通話か国内通話かが認識され、相手先への発呼が国際通話であると認識されたときに発呼先相手の電話番号が国際通話用の電話番号に変換されるため、携帯通信端末１００において国際ローミング通信を行なうときに、電話帳メモリ１１３に国番号が登録されていない電話番号に対して発呼する場合であっても、ユーザは通話相手の電話番号にわざわざ国番号を付加して発呼したり、その通話が国際通話か国内通話かを意識したりすることなく、発呼することができる。
【００５６】
すなわち、本発明によれば、所有者の情報や通信相手の情報をメモリに登録する際に国番号を登録する必要がなく、また携帯通信端末からの電話発呼時にその通話が国際通話か国内通話かを意識することなく、多国間を移動する場合であっても煩雑な操作を必要とせずにスムーズに発呼することができる。これにより、ユーザの利便性が向上する。
【００５７】
さらに、上述の携帯通信端末１００で実行される、ユーザの通話相手の番号の設定を補助する方法を、プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５８】
また、上述の携帯通信端末１００で実行される通話相手の番号を設定する方法は、携帯電話等の携帯通信端末において、電話を含む様々なアクセス手段（メール、ファクシミリ通信等）で所定の宛先にアクセスする際の宛先設定を補助するプログラムとして、上記アクセスを実現するためのプログラムに組込まれて提供されてもよい。
【００５９】
提供されるプログラム製品は、ハードディスクなどのプログラム格納部にインストールされて実行される。なお、プログラム製品は、プログラム自体と、プログラムが記録された記録媒体とを含む。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】携帯通信端末１００のハードウェア構成の具体例を示す図である。
【図２】ＲＡＭ１１に格納されている情報の具体例を示す図である。
【図３】携帯通信端末１００において、所有者情報を登録する機能および発呼時に通話相手の番号を設定する機能を実現するための機能構成の具体例を示す図である。
【図４】携帯通信端末１００において、所有者情報を登録する処理を示すフローチャートである。
【図５】携帯通信端末１００において、発呼時に通話相手の番号を設定する処理を示すフローチャートである。
【符号の説明】
【００６２】
１  アンテナ、２  通信部、４  通信制御部、５  マイクロホン、６  スピーカ、７  制御部、８  操作部、９  表示部、１０  ＲＯＭ、１１  ＲＡＭ、１２  接続部、１３  外部メモリ、１００  携帯通信端末、１０１  操作入力部、１０３  所有者情報取得部、１０５  情報解析部、１０７  第１国番号検索部、１０９  所有者情報登録部、１１１  国番号データベース、１１２  所有者情報メモリ、１１３  電話帳メモリ、１１４  ネットワークデータベース、１１５  ネットワーク識別コードメモリ、１２１  相手番号読出部、１２３  通話コード判断部、１２５  ネットワーク検索部、１２７  第２国番号検索部、１２９  通話番号出力部、１４１  通話番号変換部。
【図１】
2006311103.tif 000003
【図２】
2006311103.tif 000004
【図３】
2006311103.tif 000005
【図４】
2006311103.tif 000006
【図５】
2006311103.tif 000007